(57)【要約】      （修正有）【課題】  躯体のゆれに対し外壁のひび割れや破損の心配がない、無目地仕上げの外壁下地を構成する壁パネルの取付構造を提供する。【解決手段】  建築物の躯体に当接する２面の垂直面からなる基部2と、該基部2の２面の上端を繋ぐ支持部と、前記各基部2下端から壁パネルの小口面に沿って水平方向に伸びる折り曲げ部と、該各折り曲げ部の先端から垂直上方に立ち上がった起立部5-a,5-bが、断面逆Ｌ字状に一体成形されて構成されてなり、前記支持部には釘もしくはネジを貫通させ躯体に取り付けるためのネジ穴6を有し、前記折り曲げ部には壁パネルの小口面に食い込ませて固定するための爪部4を有している壁パネル取付金物を使用する。固定する位置によって折り曲げ部や爪部の向きを変化させた金具を使用する。【選択図】    図２
2006249739.tif 000002
【特許請求の範囲】
【請求項１】
建築物の躯体に当接する２面の垂直面からなる基部と、該基部の２面の上端を繋ぐ支持部と、前記各基部下端から壁パネルの小口面に沿って水平方向に伸びる折り曲げ部と、該各折り曲げ部の先端から垂直上方に立ち上がった起立部が、断面逆Ｌ字状に一体成形されて構成されてなり、前記支持部には釘もしくはネジを貫通させ躯体に取り付けるためのネジ穴を有し、前記折り曲げ部には壁パネルの小口面に食い込ませて固定するための爪部を有していることを特徴とする壁パネル取付金物。
【請求項２】
建築物の躯体に当接する垂直面からなる基部と、該基部のほぼ中央から壁パネルの小口面に沿って水平方向に伸びる折り曲げ部と、該折り曲げ部の先端から垂直上方に立ち上がった起立部及び折り曲げ部の先端から垂直下方に垂下する垂下部が、断面横Ｔ字状に一体成形されて構成されてなり、前記基部には釘もしくはネジを貫通させ躯体に取り付けるためのネジ穴を有し、前記折り曲げ部には壁パネルの小口面に食い込ませて固定するための爪部を有していることを特徴とする壁パネル取付金物。
【請求項３】
建築物の躯体に当接する垂直面からなる基部と、該基部の下端から壁パネルの小口面に沿って水平方向に伸びる折り曲げ部と、該各折り曲げ部の先端から垂直下方に垂下する垂下部が、断面Ｚ字状に一体成形されて構成されてなり、前記基部には釘もしくはネジを貫通させ躯体に取り付けるためのネジ穴を有し、前記折り曲げ部には壁パネルの小口面に食い込ませて固定するための爪部を有していることを特徴とする壁パネル取付金物。
【請求項４】
請求項１から請求項３のいずれか１項に記載の壁パネル取付金物を使用し、該取付金物の基部を垂直な躯体に当接させるとともに、ネジ穴に釘もしくはネジを貫通させて躯体に固定し、次いで該壁パネル取付金物の折り曲げ部に壁パネルを載置して、壁パネル取付金物の起立部もしくは垂下部で壁パネル先端を把持するとともに、折り曲げ部の爪部を壁パネルの小口面に食い込ませて固定することを特徴とする壁パネルの取付構造。
【請求項５】
建物の各階毎にパネルの横目地にエキスパンションジョイントを設けると共に、建物の各階の最下段の壁パネルの下側小口が壁パネル取付金物の起立部と爪部によって壁パネル取付金物に固定されており、該壁パネル取付金物は釘又はネジによって躯体に対して面内方向に不動となるよう固定されていることを特徴とする請求項４に記載の壁パネルの取付構造。
【請求項６】
建物の各階毎にパネルの横目地にエキスパンションジョイントを設けると共に、建物の各階の最下段のパネルの下側小口以外が、壁パネル取付金物の起立部と爪部によって壁パネル取付金物に固定されており、該壁パネル取付金物は釘又はネジによって躯体に対して面内左右方向に可動となるように固定されていることを特徴とする請求項４に記載の壁パネルの取付構造。
【請求項７】
前記壁パネル取付金物の折り曲げ部と壁パネルの小口面とを両面テープにより密着することを特徴とする請求項４から請求項６のいずれか１項に記載の壁パネルの取付構造。
【請求項８】
前記壁パネル取付金物の折り曲げ部と壁パネルの小口面との間もしくは互いに隣接する壁パネルの相接する上下小口の間に板状ゴムを挿入することを特徴とする請求項４から請求項６のいずれか１項に記載の壁パネルの取付構造。
【発明の詳細な説明】
【技術分野】
【０００１】
本発明は、軽量気泡コンクリートパネルを躯体に取付けるための構造に関し、詳しくは壁パネル取付金物およびそれを使用した無目地仕上用の壁パネルの取付構造に関する。
【背景技術】
【０００２】
軽量気泡コンクリート（以下、ＡＬＣと呼ぶ。）パネルは、建物の壁、床、屋根等に使用されている。通常、戸建住宅などの小規模建築の外壁として用いられるＡＬＣの厚さは７５ｍｍ未満である。図９に斜視図で外観を示すように、ＡＬＣパネルは下地となる木胴縁や鋼材に約６〜１２本／ｍ２ の割合で木ネジやタッピンネジにより留めつけられる。留めつけられたＡＬＣパネルの版間の目地にシーリングを施した後、全面に塗装を施して仕上げられる。このように取り付けられたＡＬＣパネル外壁の仕上げ後の外観には、ＡＬＣパネル間の目地割が残るが、近年そのような目地を消した塗り壁調の塗装を施した大壁の外観が好まれるようになってきた。
【０００３】
目地を消す方法としては、前述の方法で取り付けられたシーリングされたＡＬＣパネル相互の面取り部分とシーリング面で形成された溝部に樹脂モルタルを埋め、パネル表面と面一となるようした後、伸縮自在であり樹脂モルタルを通す網目を有するテープをパネルの目地部に隣接するパネル相互の表面に跨るように貼着し、再度樹脂モルタルをパネル表面にしごくように塗布する方法が採用されている（例えば、特許文献１参照。）。
この場合、隣接するパネルはモルタルによりある程度強固に接続されているため、地震力、風力、あるいは車両の通行等で発生する微細な震動により発生する躯体の面内方向の揺れに対して、ＡＬＣ基材の強度がモルタルにより接合された部分を下回るため、ネジ廻りのＡＬＣパネルが圧縮破壊していく。ＡＬＣパネル内部には補強鉄筋が密に配置されており、ＡＬＣパネルが補強鉄筋の位置まで圧縮破壊した後は、ネジが内部鉄筋に掛かり鉄筋の変形に伴い、ネジ廻りのＡＬＣが抜け落ちるようにＡＬＣパネルに亀裂が走る。また鉄筋の強度が大きい場合には、経年の熱応力等により特に強度が低下している目地部分のＡＬＣ基材がせん断破壊していく。
【特許文献１】特開平２００２−１４６９９０号公報
【発明の開示】
【発明が解決しようとする課題】
【０００４】
上記のように、従来のＡＬＣパネルの取付方法では、無目地仕上げ用の下地として躯体の揺れに対する壁体としての耐久性が確保できないという問題点があった。
本発明は、上記問題点に鑑みなされたものであって、躯体のゆれに対し外壁のひび割れや破損の心配がない、無目地仕上げ用の外壁下地を構成する壁パネルの取付構造を提供する。
【課題を解決するための手段】
【０００５】
上記課題を解決するため本発明の壁パネル取付金物の一つは、建築物の躯体に当接する２面の垂直面からなる基部と、該基部の２面の上端を繋ぐ支持部と、前記各基部下端から壁パネルの小口面に沿って水平方向に伸びる折り曲げ部と、該各折り曲げ部の先端から垂直上方に立ち上がった起立部が、断面逆Ｌ字状に一体成形されて構成されてなり、前記支持部には釘もしくはネジを貫通させ躯体に取り付けるためのネジ穴を有し、前記折り曲げ部には壁パネルの小口面に食い込ませて固定するための爪部を有している壁パネル取付金物とした。
壁パネル取付金物をこのような構造とすることにより、壁パネル取付金物の爪部で壁パネルが壁パネル取付金物に固定されると共に、起立部により壁パネルが躯体から離れていく力を支える効果を発揮し、面外方向の固定がより一層強化される。また、ネジ穴を利用して釘もしくはネジを使用して、壁パネル取付金物を躯体に確実に固定することが可能となる。この壁パネル取付金物は、壁パネル取付金物の上方で壁パネルを支える構造をとっているので、建物各階の最下段の壁パネルを固定するのに適している。
【０００６】
本発明の壁パネル取付金物の他の一つは、建築物の躯体に当接する垂直面からなる基部と、該基部のほぼ中央から壁パネルの小口面に沿って水平方向に伸びる折り曲げ部と、該各折り曲げ部の先端から垂直上方に立ち上がった起立部及び折り曲げ部の先端から垂直下方に垂下する垂下部が、断面横Ｔ字状に一体成形されて構成されてなり、前記基部には釘もしくはネジを貫通させ躯体に取り付けるためのネジ穴を有し、前記折り曲げ部には壁パネルの小口面に食い込ませて固定するための爪部を有している壁パネル取付金物とした。
壁パネル取付金物をこのような構造とすることにより、起立部と垂下部及び爪部により、上下に隣接する２枚の壁パネルを１個の取付金物でしっかり固定することが可能となる。この壁パネル取付金物は、建物各階の最下段を除く上下に相隣接する２枚の壁パネルを固定するのに適している。
【０００７】
さらに本発明のもう一つの壁パネル取付金物は、建築物の躯体に当接する垂直面からなる基部と、該基部の下端から壁パネルの小口面に沿って水平方向に伸びる折り曲げ部と、該各折り曲げ部の先端から垂直下方に垂下する垂下部が、断面Ｚ字状に一体成形されて構成されてなり、前記基部には釘もしくはネジを貫通させ躯体に取り付けるためのネジ穴を有し、前記折り曲げ部には壁パネルの小口面に食い込ませて固定するための爪部を有している壁パネル取付金物とした。
壁パネル取付金物をこのような構造とすることにより、建物の各階の最上段の壁パネルの上側の小口を躯体に固定するのに適した壁パネル取付金物となる。
【０００８】
本発明の壁パネル取付金物においては、前記ネジ穴が横長に形成されているものであってもよい。また、前記爪部が前記折り曲げ部の一部を折り曲げて形成されているものであってもよい。
前記ネジ穴を横長に形成しておけば、地震等で建物が揺れた場合に横方向にルーズとなっているので、壁パネルに無理な力がかからず壁パネルの損傷を防止することが可能となる。特に、建物の最下段の壁パネルを除く２段目より上の壁パネルを固定するための壁パネル取付金物においては、建物の横揺れによる壁パネルのズレが大きくなることから、壁パネルの損傷を防ぐためには壁パネルの固定金物に横長のネジ穴を採用するのが有効である。
また、爪部を折り曲げ部の一部を打ち抜いて折り曲げて形成すれば、平板を打ち抜き加工するのみで爪部を形成することができ、コスト削減が計られる。
【０００９】
本発明の壁パネルの取付構造は、上記に記載した壁パネル取付金物を使用し、該取付金物の基部を垂直な躯体に当接させるとともに、ネジ穴に釘もしくはネジを貫通させて躯体に固定し、次いで該壁パネル取付金物の折り曲げ部に壁パネルを載置して、壁パネル取付金物の起立部もしくは垂下部で壁パネル先端を把持するとともに、折り曲げ部の爪部を壁パネルの小口面に食い込ませて固定する壁パネルの取付構造とした。
このような壁パネルの取付構造とすることにより、躯体のゆれに対し壁パネルのひび割れや破損の心配がない、無目地仕上げ用の外壁下地構造とすることができる。
【００１０】
本発明の壁パネルの取付構造では、建物の各階の最下段の壁パネルの下側小口が壁パネル取付金物の起立部と爪部によって躯体に固定されており、該壁パネル取付金物は躯体に対してネジ又は釘によって固定されているものとするのが好ましい。
外壁は、意匠上の理由から各階毎に水平方向にエキスパンションジョイントを設けることが多く、その際、建物の各階の最下段の壁パネルでは、躯体のゆれに対して壁パネルの変異が少ないので壁パネルを強固に固定しても支障は無いからである。
【００１１】
本発明の壁パネルの取付構造では、壁パネルの下側小口が壁パネル取付金物の起立部と爪部によって躯体に固定されており、該壁パネル取付金物は躯体に対してネジ又は釘によって面内左右方向に可動となるように固定されているものとすることが好ましい。
地震等で建物が揺れる際に、上段の壁パネルになるほど躯体のゆれに対して壁パネルの変異が大きくなるので、壁パネルの損傷を防ぐには、パネルの取付金物に遊びを持たしておくことが有効となるからである。
【００１２】
本発明の壁パネルの取付構造では、前記壁パネル取付金物の折り曲げ部と壁パネルの小口面とを両面テープにより密着しても良い。
壁パネル取付金物の折り曲げ部と壁パネルの小口面とを両面テープにより密着することにより、より強度の高い壁パネルの取付構造が得られるようになる。
また、本発明の壁パネルの取付構造では、前記壁パネル取付金物の折り曲げ部と壁パネルの小口面との間もしくは互いに隣接する壁パネルの相接する上下小口の間に板状ゴムを挿入しても良い。
建物の振動を吸収して壁パネルが損傷するのを防ぐためである。
【発明の効果】
【００１３】
本発明によれば、躯体の揺れに対する壁体としての耐久性が確保でき、外壁のひび割れや破損の心配のない、無目地仕上げ用の外壁下地を構成する壁パネルの取付構造が得られる。
【発明を実施するための最良の形態】
【００１４】
以下、本発明の壁パネルの施工方法について説明する。
本発明の壁パネルの施工方法は、無目地仕上げ用の外壁下地構造を構築した後、シーリングを兼ねた目地隠し処理を施すものである。
無目地仕上げ用外壁下地構造には、木造の場合には幅６０６ｍｍ×長さ１８２０ｍｍ×厚さ３７ｍｍのＡＬＣパネルを横張りで施工し、鉄骨造の場合には幅６００ｍｍ×長さ１８００もしくは２０００ｍｍ×厚さ５０ｍｍのＡＬＣパネルを横張りで施工している。各パネルの小口外側にはシーリング溝と面取り加工が施してある。このパネルの上下小口を壁パネル取付金物に固定し、壁パネル取付金物を介して躯体に取り付ける。壁パネル取付金物としては以下の３種類の取付金物を使用する。
【００１５】
（第１の実施形態）
先ず第１は、建物の各階の最下段のパネルの下端を固定するものであって、例えば図１に示す第１の実施形態の壁パネル取付金物を用いる。
第１の実施形態の壁パネル取付金物１１は、建築物の躯体に当接する２面の垂直面２−ａ、２−ｂからなる基部と、該基部の２面２−ａ、２−ｂの上端を繋ぐ支持部１と、前記各基部２−ａ、２−ｂの下端から壁パネルの小口面に沿って水平方向に伸びる折り曲げ部３−ａ、３−ｂと、該各折り曲げ部３−ａ、３−ｂの先端から垂直上方に立ち上がった起立部５−ａ、５−ｂが、断面逆Ｌ字状に一体成形されて構成されている。前記支持部１には釘もしくはネジを貫通させ躯体に面内方向に不動に取り付けるためのネジ穴６を有し、前記折り曲げ部３−ａ、３−ｂには壁パネルの小口面に食い込ませて固定するための上向きの爪部４−ａ、４−ｂを有している。
この壁パネル取付金物は、厚さ１ｍｍ程度の平鋼板の中間部を切断したコの字型平面に折り曲げ部３−ａ、３−ｂ、起立部５−ａ、５−ｂ、爪部４−ａ、４−ｂ、及びネジ穴６を加工して作製されている。また、折り曲げ部３−ａ、３−ｂ、起立部５−ａ、５−ｂ、爪部４−ａ、４−ｂは左右２箇所に構成されている。ネジ穴６の径は、壁パネル取付金物と躯体を固定するために併用して用いる釘もしくはネジの太さ、例えば径５ｍｍ×長さ３０ｍｍ程度を勘案してほぼ同径とする。
壁パネル取付金物１１の起立部５−ａ、５−ｂを壁パネル下端の小口外側に設けられたシーリング溝に嵌め込むとともに、壁パネル取付金物１１の爪部４−ａ、４−ｂを壁パネル下端の小口に打ち込むことにより壁パネルを壁パネル取付金物に固定し、壁パネル取付金物１１のネジ穴６に釘もしくはネジを貫通させて壁パネル取付金物１１を躯体に固定する。
図１に示す壁パネル取付金物は、各階の最下段の壁パネルの下側を取り付けるのに適した壁パネル取付金物である。このように構成することで、例えば２階最下段の壁パネルの下端を取り付ける際、１階最上段のパネルの上端を取り付けた壁パネル取付金物への干渉を防止できる。
【００１６】
建物の各階の最下段以外の部分は、例えば図２、図３に示す壁パネル取付金物を用い
て固定する。
（第２の実施形態）
図２に示す第２の実施形態の壁パネル取付金物２１は中間の壁パネルを固定するのに適したものであって、建築物の躯体に当接する垂直面からなる基部２と、該基部２のほぼ中央から壁パネルの小口面に沿って水平方向に伸びる折り曲げ部３と、該折り曲げ部３の先端から垂直上方に立ち上がった起立部５−ａ、５−ｂ及び折り曲げ部３の先端から垂直下方に垂下する垂下部５−ｃが、断面横Ｔ字状に一体成形されて構成されていて、前記基部２には釘もしくはネジを貫通させ躯体に面内方向に可動に取り付けるための横長に形成されたネジ穴６を有し、前記折り曲げ部３には壁パネルの小口面に食い込ませて固定するための上下方向に突き出た爪部４−ａ、４−ｂを有している。
図２に示す第２の実施形態の壁パネル取付金物２１は、第１の実施形態と異なり、基部２及び折り曲げ部３は１枚の平板で構成されている。また、折り曲げ部３は基部２の中央部を打ち抜いて折り曲げて形成してある。爪部４−ａ、４−ｂは曲げ部３の上下方向に互いに逆向きに突き出しており、起立部５−ａ、５−ｂと起立部５−ｃも折り曲げ部３の上下方向に互いに逆向きに形成してある。このため１個の壁パネル取付金物を利用して相隣接する上下の壁パネルの小口を同時に固定することができる。ネジ穴６はネジの径に左右方向に約１０ｍｍのルーズを見込んで横長に形成した例を示している。このようなネジ穴とすることにより、壁パネル取付金物と躯体とがの面内左右方向に可動となるので、躯体が揺れても壁パネルに損傷を及ぼすことがない。
第２の実施形態の壁パネル取付金物２１は、爪部４−ａ、４−ｂ並びに起立部５−ａ、５−ｂと起立部５−ｃが、折り曲げ部３の上下方向に互いに逆向きになっているので、折り曲げ部３を夾んで上下に積層された２枚の壁パネルを固定するのに適している。したがって、各階の最下段以外の壁パネルを施工するための壁パネル取付金物である。
【００１７】
（第３の実施形態）
図３に示す第３の実施形態の壁パネル取付金物３１は、建築物の躯体に当接する垂直面からなる基部２と、該基部２の下端から壁パネルの小口面に沿って水平方向に伸びる折り曲げ部３と、該折り曲げ部３の先端から垂直下方に垂下する垂下部５１が、断面Ｚ字状に一体成形されて構成され、前記基部２には釘もしくはネジを貫通させ躯体に面内方向に可動に取り付けるための横長に形成されたネジ穴６を有し、前記折り曲げ部３には壁パネルの小口面に食い込ませて固定するための折り曲げ部３に対して下向きの爪部４を有している。
第３の実施形態の壁パネル取付金物３１は、爪部４と垂下部５１が共に折り曲げ部３に対して下向きに形成されているので、建物の各階最上段の壁パネル固定するのに適している。第３の実施形態の壁パネル取付金物は各階最上段の壁パネル固定するため、壁パネル取付金物には壁パネルの荷重が直接かかることはなく、壁パネルの上端を抑えるだけで良いので、１枚の平板を単純にＺ字状に折り曲げ加工して形成してある。
ネジ穴６はネジの径に左右方向に約１０ｍｍのルーズを見込んで横長に形成した例を示している。このようなネジ穴とすることにより、壁パネル取付金物と躯体とがの面内左右方向に可動となるので、躯体が揺れても壁パネルに損傷を及ぼすことがない。
【００１８】
これらの壁パネル取付金物を使用して壁パネルを固定するに際して、垂直部もしくは垂下部及び爪部を利用して壁パネルを壁パネル取付金物に固定し、ネジ穴を利用してネジあるいは釘を貫通させて壁パネル取付金物を躯体に固定する。
壁パネル取付金物を躯体に固定する際には、ネジ穴を左右に幅広に長穴状に形成しておくと、地震等により躯体が揺れたときに躯体と壁パネル取付金物とが面内左右方向に相互可動となるので、壁パネルが欠けたりひび割れ等の損傷を起こすことがない。特に建物の各階の最下段以外の壁パネルについては、壁パネルのズレが大きくなるので、長穴状のネジ穴を採用することによる効果が大きくなる。最上段の壁パネルを固定するための壁パネル取付金物は丸ネジ穴とし、しっかり固定できるようにするのがよい。
また、これらの壁パネル取付金物では壁パネルが面外方向へ逃げるのを防止するため、壁パネル端部のシーリング溝部分を利用して固定するための起立部や垂下部を備えているので、壁パネルの面外方向への固定能力が一層強化されている。
【００１９】
また、これらの壁パネル取付金物を使用して壁パネルを固定するに際して、各壁パネルの固定強度を高めて、爪部によって固定されている壁パネルの破損の可能性を軽減させるために、1.)両面テープを使用して壁パネルの小口を壁パネル取付金物の折り曲げ部に接着させたり、2.)壁パネル取付金物の折り曲げ部と壁パネルの小口との間に板状ゴムを挿入したり、あるいはまた、3.)相隣接する上下の壁パネルの小口間に板状ゴムを挿入する等の手段を併用することが出来る。
壁パネル取付金物の折り曲げ部に両面テープや板状ゴムを使用する場合には、壁パネル取付金物の折り曲げ部に、あらかじめ両面テープあるいは薄い板状ゴムを貼着しておくと作業性が良い。
板状ゴムを使用する場合には、壁パネルを一段建て込む毎に壁パネルの上部小口に板状ゴムを設置していくと良く、板状ゴムの厚みは建て込み後に壁パネルの自重によりゴムが圧縮されて壁パネル取付金物の折り曲げ部と同等の厚みになるよう、壁パネル取付金物の折り曲げ部よりも若干厚くしておくと良い。
【００２０】
このような方法で、ＡＬＣパネルにより外壁下地を構築した後、止水のためのシーリング処理および目地処理材とネットによる目地消し処理を行ない、最終的な塗装工程に入る。このとき、各階の最上段のパネル上階の最下段のパネルの間には、躯体の変形によりパネルのズレが生じるのでシーリング処理後の目地消し処理は行わず塗装工程においてもエキスパンションジョイントを施工しておくと良い。
［実施例］
【００２１】
次に、本発明の壁パネルの取付構造について図面に基づいて説明する。
図４は、本発明の壁パネル取付金物を使用して無目地仕上げ用壁下地構造の施工例を示したものである。この施工例は在来軸組み工法の木造２階建ての外壁として軽量気泡コンクリート使用して仕上げる工法を示したものである。
コンクリート製の布基礎１３上に土台梁９を載置し、柱８を建て間柱１０を配置して建物の躯体を構築し、この躯体に外壁となる軽量気泡コンクリート製の壁パネル７を固定して建物を構築する。図では外壁として軽量気泡コンクリート製の壁パネル７をＡからＩまで９段重ねで貼り付けてある。１階２階の境目になるパネルＥとパネルＦの間は目地が有ってもかまわないが、それ以外のパネル接合部は無目地仕上げとする。
各壁パネルを躯体に固定するには、第１の実施形態ないし第３の実施形態に示した本発明の壁パネル取付金物を駆使して施工する。以下の図５のから図７に、円Ｌ-1から円Ｌ-3 に示した各壁パネルの接合部の施工方法について説明する。
【実施例１】
【００２２】
まず、図１に示す本発明の第１の実施形態の壁パネル取付金物を使用して、建物各階の最下段の壁パネルの取付構造について、図５を用いて説明する。
図５は、図１に示す円Ｌ-1部分の建物１階の最下段の壁パネル７−Ａを建物躯体に固定する方法を、透視斜視図で示したものである。
土台梁９の所定位置に、図１に示す本発明の第１の実施形態の壁パネル取付金物１１をネジ１２を使用して固定した。壁パネル取付金物は厚さ１ｍｍの鋼板製とし、ネジはステンレス製の径５ｍｍ×長さ３０ｍｍのネジを使用した。
次いで壁パネル７−Ａを壁パネル取付金物１１の折り曲げ部の上に載置して、壁パネル下端の小口外側に設けられたシーリング溝に壁パネル取付金物１１の起立部を嵌め込むとともに、壁パネル取付金物１１の爪部を壁パネル下端の小口に打ち込むことにより壁パネル７−Ａをパネルの取付金物１１に固定した。なお、図では壁パネル７−Ａは透視しているので、明確には描かれていない。
ネジ穴６の径がネジの径とほぼ同径であることから、外力によっても壁パネル取付金物１１と柱８は面内方向に対して不動に取り付けられている。
【実施例２】
【００２３】
次に、建物各階の最下段の壁パネルを除いた壁パネルの固定方法を図６を用いて説明する。
図６は、図１に示す円Ｌ-2部分の壁パネル７−Ｃと壁パネル７−Ｄを建物躯体に固定する方法を、透視斜視図で示したものである。
先ず、図２に示す本発明の第２の実施形態の壁パネル取付金物２１の基部下端を、壁パネル７−Ｃと躯体である柱８の間に挿入し、壁パネル取付金物２１の下向きの折り曲げ部５−ｃを壁パネル７−Ｃの上端の小口外側に設けられたシーリング溝に嵌合させると共に、壁パネル取付金物２１の上向きの爪部４−ａを壁パネル７−Ｃの上端の小口面に打ち込んで、壁パネル取付金物２１を壁パネル７−Ｃに固定した。
次いで、壁パネル取付金物２１をネジ１２を使用して柱８に固定した。
次いで壁パネル７−Ｄを壁パネル取付金物２１の折り曲げ部の上に載置して、壁パネル下端の小口外側に設けられたシーリング溝に壁パネル取付金物２１の上向きの起立部５−ａ、５−ｂに嵌め込むとともに、壁パネル７−Ｄの下端の小口面に壁パネル取付金物２１の上向き爪部４−ｂを打ち込むことにより、壁パネル７−Ｄをパネルの取付金物２１に固定した。なお、図では壁パネル７−Ｃと７−Ｄは透視している。
ネジ穴６の径はネジの径に左右方向に約１０ｍｍのルーズを見込んだ径としているため、外力に対して壁パネル取付金物２１と柱８は面内左右方向に相互可動に取り付けた。
【実施例３】
【００２４】
最後に、１階の最上段の壁パネルと２階の最下段の壁パネルを固定する方法を、図７を用いて説明する。
図７は、図１に示す円Ｌ-3 部分の壁パネル７−Ｅと壁パネル７−Ｆを建物躯体に固定する方法を、透視斜視図で示したものである。
先ず、図３に示す本発明の第３の実施形態の壁パネル取付金物３１を、壁パネル７−Ｅの上端小口面上に載置し、壁パネル取付金物３１の下向きの折り曲げ部５を壁パネル７−Ｅの上端の小口外側に設けられたシーリング溝に嵌合させると共に、壁パネル取付金物３１の下向きの爪部４を壁パネル７−Ｅの上端の小口面に打ち込んで、壁パネル取付金物３１を壁パネル７−Ｅに固定した。さらに、ネジ穴６にネジ１２を貫通させ、壁パネル取付金物３１を柱８に固定した。
次いで、図１に示す本発明の第１の実施形態の壁パネル取付金物１１を壁パネル７−Ｅの上端小口面上に載置し、ネジ１２を使用して柱８に固定した。このとき、壁パネル取付金物１１の２本の折り曲げ部３−ａ、３−ｂが、壁パネル取付金物３１の折り曲げ部３をまたぐように取り付けた。
次いで壁パネル７−Ｆを壁パネル取付金物１１の折り曲げ部の上に載置して、壁パネル７−Ｆ下端の小口外側に設けられたシーリング溝に壁パネル取付金物１１の起立部５−ａ、５−ｂを嵌め込むとともに、壁パネル取付金物１１の爪部を壁パネル７−Ｆの下端の小口に打ち込むことにより壁パネル７−Ｆをパネルの取付金物１１に固定した。
ネジ穴６の径はネジの径に左右方向に約１０ｍｍのルーズを見込んだ径としているため、外力に対して壁パネル取付金物３１と柱８は面内左右方向に相互可動に取り付けた。
【００２５】
以下同様にして各壁パネル７−Ａから７−Ｉを順次施工して、無目地仕上げ用壁下地構造を完成させた。
以上のようにして外壁下地構造を構成することで、各階を構成するパネルは躯体の変形に対しても変形しないため、無目地構造とした場合にも、下地にひび割れが発生する可能性が少なくなる。
このようにして  軽量発泡コンクリートパネルにより無目地仕上げ用壁下地構造を構築した後、止水のためのシーリング処理および目地処理材とネットによる目地消し処理を行ない、最終的な塗装工程に入った。このとき、各階の最上段のパネル上階の最下段のパネルの間には、躯体の変形によりパネルのずれが生じるのでシーリング処理後の目地消し処理は行わず塗装工程においてもエキスパンションジョイントを施工しておくと良い。
【実施例４】
【００２６】
図８に板状ゴムを使用した施工例を示す。
本実施例は、上述の第１の実施例から第３に実施例において、各階毎に上下に配置される壁パネル７−Ａと７−Ｂとの間、７−Ｂと７−Ｃとの間、７−Ｃと７−Ｄとの間、７−Ｄと７−Ｅとの間に板状ゴム１７を配置したものである。図８では前記実施例２で示した施工例において板状ゴムを使用したもので、壁パネル７−Ｃの上端小口面に板状ゴム１７を配置した状態を示し、上段の壁パネル７−Ｄはまだ載置されていない。
また、板状ゴム１７の厚みは下段パネルと上段パネルのずれを拘束するため、壁パネル取付金物の厚さ１ｍｍに対し１．１ｍｍとした。これは、壁パネルの自重によりゴムが圧縮されることを見込んでいるためである。
このように板状ゴム１７がパネルの自重による圧縮力が掛かる状態でパネル間に介在することにより、壁パネル間の外力によるずれを拘束する効果がある。よって、無目地仕上げとする場合、躯体変形により目地消し処理部やその上部に塗布されている塗膜に掛かる応力を軽減することが出来、ひび割れ等の発生を抑制することが出来る。
【実施例５】
【００２７】
本実施例では、実施例１から実施例３において、図１の壁パネル取付金物１１の折り曲げ部３−ａ、３−ｂの上面、図２の壁パネル取付金物２１の折り曲げ部３の上面、下面に、図３の壁パネル取付金物３１の支持部３の下面にそれぞれ両面テープを貼着し、各折り曲げ部と壁パネルの小口とを粘着させた。
この両面テープを貼着することにより、各階の外壁を構成する壁パネルの上下は各階毎に壁パネル取付金物の折り曲げ部３により強固に固定されることになる。よって、無目地仕上げとする場合、躯体変形により目地消し処理部やその上部に塗布されている塗膜に掛かる応力を軽減することができ、ひび割れ等の発生を抑制することが出来る。
【図面の簡単な説明】
【００２８】
【図１】本発明の第１の実施形態に関わる壁パネルの取付壁パネル取付金物を示す斜視図である。
【図２】本発明の第２の実施形態に関わる壁パネルの取付壁パネル取付金物を示す斜視図である。
【図３】本発明の第３の実施形態に関わる取付壁パネル取付金物を示す斜視図である。
【図４】本発明の壁パネルの施工例を示す斜視図である。
【図５】図４の円Ｌ-１で示す部分の壁パネルの取付構造を説明する斜視図である。
【図６】図４の円Ｌ-２で示す部分の壁パネルの取付構造を説明する斜視図である。
【図７】図４の円Ｌ-３で示す部分の壁パネルの取付構造を説明する斜視図である。
【図８】本発明の壁パネルの取付構造の他の例を説明する斜視図である。
【図９】従来の壁パネルの施工例を示す斜視図である。
【符号の説明】
【００２９】
１  支持部
２  基部
３  折り曲げ部
４  爪部
５−ａ、５−ｂ  起立部
５−ｃ、５１  垂下部
６  ネジ穴
７  軽量気泡コンクリートパネル
８  柱
９  土台梁
１０  間柱
１１、２１、３１  壁パネル取付金物
１２  ネジ
１３  布基礎
１７  板状ゴム
【図１】
2006249739.tif 000003
【図２】
2006249739.tif 000004
【図３】
2006249739.tif 000005
【図４】
2006249739.tif 000006
【図５】
2006249739.tif 000007
【図６】
2006249739.tif 000008
【図７】
2006249739.tif 000009
【図８】
2006249739.tif 000010
【図９】
2006249739.tif 000011